(57)【要約】      （修正有）【課題】屋内空間の空気を改善し、水生生物との生活を楽しむことができると同時に家庭菜園を楽しむことも可能な水生生物飼育フィルタの改良構造を提供する。【解決手段】水生生物飼育フィルタ１の改良構造は、濾過布１１と、活性炭濾過シート１２と、濾過メッシュ１３とを含み、濾過布１１は、気孔が小さく大密度の少なくとも一層の不織布であって、微小体積の異物を濾過するために用いられ、活性炭濾過シート１２は、濾過布１１の内側を覆うとともに、少なくとも一層の除臭及び更なる異物濾過を可能とする活性炭材質からなり、濾過メッシュ１３は、活性炭濾過シート１２の内層を覆うとともに、少なくとも一層の樹脂綿からなり、且つ、濾過布１１よりも気孔が大きく低密度であって、比較的大きな異物を濾過するために用いられる。【選択図】図１
0003218217.tif 000002
【実用新案登録請求の範囲】
【請求項１】
水生生物飼育フィルタの改良構造であって、濾過布と、活性炭濾過シートと、濾過メッシュとを含み、
前記濾過布は、当該フィルタの最外層に設けられ、且つ、気孔が小さく大密度の少なくとも一層の不織布であって、微小体積の異物を濾過するために用いられ、
前記活性炭濾過シートは、前記濾過布の内側を覆うとともに、少なくとも一層の除臭及び更なる異物濾過を可能とする活性炭材質からなり、
前記濾過メッシュは、活性炭濾過シートの内層を覆うとともに、少なくとも一層の樹脂綿からなり、且つ、濾過布よりも気孔が大きく低密度であって、比較的大きな異物を濾過するために用いられ、
当該水生生物飼育フィルタの最内層には、中空状の濾過空間と、濾過空間及びフィルタの一方の側に接続される吸水口が設けられており、
前記吸水口は、水道管に固定接続可能であり、
前記水道管は、一端が水槽内の水中に配置されるとともに、他端が吸水口に接続されており、水槽内の水が水道管から吸水口に案内される水生生物飼育フィルタの改良構造。
【請求項２】
前記吸水口の外側には、水道管に対する吸水口の固定接続をより容易とする弾性の結束バンドが設けられている請求項１に記載の水生生物飼育フィルタの改良構造。
【請求項３】
前記濾過シート、濾過布、及び活性炭濾過シートは、縫い合わせて一体化される請求項１に記載の水生生物飼育フィルタの改良構造。
【請求項４】
前記濾過布は、任意の形状をなす袋状である請求項１に記載の水生生物飼育フィルタの改良構造。
【請求項５】
当該吸水口と水道管は、横方向又は縦方向に接続される請求項１に記載の水生生物飼育フィルタの改良構造。
【請求項６】
水槽と、支持フレームと、植栽ユニットと、フィルタとを含む水生生物飼育フィルタの改良構造であって、
前記水槽は、水生生物の養殖に用いられ、
前記支持フレームは、当該水槽の上方に設けられるとともに、水槽に接続されるフレーム体と、フレーム体に固定接続される少なくとも一層の支持台を含み、
前記支持台の下方には、支持台上の水を下方に案内して排出する導水孔が設けられ、
前記植栽ユニットは、支持台の上方に設けられるとともに、複数の植物を栽培可能であり、植栽ユニット内に流入して植物に吸収された水は、支持台の導水孔に向かって流動し、
前記フィルタは、請求項１に記載の水生生物飼育フィルタであって、最上の支持台の上方に設けられるとともに、フィルタの最外層に設けられる濾過布と、濾過布内を覆う活性炭濾過シートと、活性炭濾過シートの内層を覆う濾過メッシュとを含む、水生生物飼育フィルタの改良構造。
【請求項７】
当該植栽ユニットの下方には、複数の排水孔隙が設けられている請求項６に記載の水生生物飼育フィルタの改良構造。
【請求項８】
前記支持台には、フィルタを配置するためのフィルタケースを設置可能であり、
当該フィルタケースの下方には排水孔が設けられる請求項６に記載の水生生物飼育フィルタの改良構造。
【請求項９】
前記支持台は、引き出し接続方式でフレーム体に接続可能である請求項６に記載の水生生物飼育フィルタの改良構造。
【請求項１０】
前記植栽ユニットは、トレイである請求項６に記載の水生生物飼育フィルタの改良構造。
【考案の詳細な説明】
【技術分野】
【０００１】
本考案は、水生生物飼育用フィルタに関し、より詳細には、多層濾過効果を有する水生生物飼育用フィルタと、低コストの水生生物飼育用フィルタと、植え付けユニットとを組み合わせた水生生物飼育用フィルタの改良構造に関する。
【背景技術】
【０００２】
従来の水生生物飼育用フィルタは、通常、水道管から流れる水を水槽に設置されたフィルタボックスに通過させる。濾過ボックスには、フィルタが設置されており、フィルタボックスに流入してきた水をフィルタでろ過する。フィルタによって濾過された水は、フィルタボックスの下の排水孔を通って水槽に戻される。
【０００３】
しかしながら、従来の水産飼育フィルタは、以下の欠点を有していた。
【０００４】
１．劣悪な濾過効率：公知の水生生物飼育フィルタは、上から下への流す層濾過方式である。濾過フィルタは、フィルタの細孔が目詰まりすることを防ぐために単一層の樹脂発泡体又はポリエステルコットンで構成されている。このフィルタに上側から異物を含む水を流すと、水が上部から溢れてフィルタを通過することなく異物が水槽に戻ってきてしまう。これを防止するためにフィルタの細孔を大きく設計するユーザもいるが、その結果、フィルタによって異物を除去することが困難となり、細かな異物を濾過することができず、異物が水槽に戻ってきてしまって水槽内の水質が悪くなってしまう。
【０００５】
２．細孔のフィルタに交換することで簡単かつ迅速に異物の流入を堰き止めることができるが、このような異物を堰き止めるフィルタに交換するときには、細かな空気穴のある不織布が用いられる。しかしながら、上から下へ流す単一層の濾過方式を採用している場合には、小さな不純物よりも大きな不純物がより早く蓄積されてしまうので、不純物が多すぎると、フィルタボックス内を水が通過しなくなって詰まってしまい、最終的には水の流れが止まってしまう。そして、フィルタボックスの上側からオーバーフローして水槽に戻ってしまう。フィルタボックス上にはフィルタがないので、フィルタボックスから溢れて水槽に水が戻ってしまうと、水槽内の水の濁度が上昇して魚が息絶えてしまう。
【０００６】
３．金銭的コスト：単層濾過のみで上から下へと水を一方向に濾過することが公知であり、この方法で微細な異物を完全に濾過できるだけでなく、異物を素早く回収することができるが、水槽中の水及びフィルタボックス内のフィルタを頻繁に交換する必要がある。これらの作業の手間暇がかかるので、結果として使用により金銭的コストが増大する。
【０００７】
水生生物飼育フィルタを清掃するときには、まず、水槽内の魚を回収し、次に水槽を洗浄し、最後にフィルタボックスを清掃する。このような手順で。フィルタボックスで回収した不純物が水槽に戻らないようにする必要がある。ユーザは、フィルタボックスに多数の微細な排水孔を追加するか、又は多層構造のフィルタボックスを使用して、フィルタボックスを洗浄する必要があるので、フィルタボックスの清掃に手間がかかる。
【０００８】
したがって、本出願人は、中華民国実用新案第３７０７７５号公報（特許文献１）に記載された多重濾過水飼育フィルタを開示している。この多重濾過水飼育フィルタは、任意形状の袋状にすることができ、異なるサイズの孔を有するフィルタを層状にして用いる多層濾過によって従来の濾過効果の課題を解決することができる。この多層濾過によれば、不純物の蓄積時間を延長することができるので、フィルタの寿命を延ばすことができ、逆流する設計により水がフィルタに入り込むのを防ぎ、濾過の下流側においてフィルタ内が不純物で満たされてフィルタから水が流出したとしても、流出する水を上層又は他層から多層濾過することができる。これによりフィルタや水槽の洗浄回数を減らすことができ、優れた濾過が可能となり、フィルタの寿命を延ばすことができる。
【０００９】
防臭効果を得るための方法として、活性炭フィルタを別途追加する手法がある。この活性炭フィルタの製造方法は、出願人が「謝進参」の中華民国特許第３６７２６６号公報（特許文献２）に記載された発明と同一である。
【００１０】
従来例の活性炭フィルタを使用するとともに、他の活性炭フィルタを使用することによって従来の飼育フィルタの欠点の多くを克服することができる。この方法を一定期間使用し続けることで、非常に良好な消臭効果を得ることができるが、活性炭飼育フィルタの製造に非常に手間がかかるので、製造コストが高くなり、相対的に全体の製造コストが高額になることが判明している。
【００１１】
そこで、本考案者は、長年に亘って当該分野の研究開発を経験し、従来の欠点について徹底的に検討した結果、製造コストを削減するとともに長寿命化するための改善を行い、水槽中の水生生物の育成環境で植物を育成することができることを見出した。そして、屋内の空気を植物で浄化するとともに、濾過水によって植物の育成に必要な栄養分を供給し、水生生物と植物の共生を図ることに成功した。
【先行技術文献】
【特許文献】
【００１２】
【特許文献１】中華民国実用新案第３７０７７５号公報
【特許文献２】中華民国特許第３６７２６６号公報
【考案の概要】
【考案が解決しようとする課題】
【００１３】
本発明の主な目的は、多層濾過により一体化された構造に簡略化され、濾過のコストを低減することができ、植栽ユニットと組み合わせて形成される水生生物飼育フィルタの改良構造を提供することである。
【課題を解決するための手段】
【００１４】
本考案の水生生物飼育フィルタの改良構造の機能及び効果は、以下の技術によって達成することができる。水生生物飼育フィルタは、細孔が小さく、高密度の袋状の不織布からなる濾過布と、当該濾過布の内側を覆うとともに少なくとも一層の除臭及び更なる異物濾過を可能とする活性炭材質からなる活性炭濾過シートと、活性炭濾過シートの内層を覆う濾過メッシュとからなり、当該濾過布は、任意の形状を有していてよく、濾過メッシュは樹脂綿からなり、濾過布よりも気孔が大きく小密度である。
【００１５】
当該水生生物飼育フィルタの最内層には、中空状の濾過空間と、濾過空間及びフィルタの一方の側に接続される吸水口とが設けられており、吸水口は、水道管に固定接続可能であり、当該水道管は、一端が水槽内の水中に配置されるとともに、他端が吸水口に接続されており、水槽内の水が水道管から吸水口に供給される。
【００１６】
上述の活性炭濾過シートは、煩雑な工程を経ることなく作製することができる一般的な活性炭濾過シートであり、活性炭濾過シートと濾過布とを縫い合わせて連結することにより水生生物飼育フィルタ全体の構造を一体的に作成することができ、以って効率的に製造できて、製造コストを低減させることが可能となる。
【００１７】
このような構成を組み合わせることにより、吸水口から水道管を経由して濾過空間に水が流入した後に、まず、少なくとも一層の濾過メッシュによって中型及び大型の異物（例えば排泄物や食べられなかった餌等）が濾過される。次いで、少なくとも一層の活性炭濾過シートを通じて異物を脱臭することができるとともに濾過することができ、最後に、水が濾過布に供給されることで、濾過布はさらに高密度で小さな孔を多数有しているので、内側から外側に水が透過することで、より微細な異物を除去することができる。これにより水生生物飼育フィルタで濾過された水に含まれる毒素やほぼ全ての不純物を除去することができるという非常に優れた効果を得ることができる。
【００１８】
前述のように、濾過空間の水が最外側の濾過布に到達することで、多層構造により濾過が行われるので、濾過空間に異物で一杯になっても濾過空間内の水があふれ出ることなく、水生生物飼育フィルタの多層袋の設計により濾過空間における濾過布の上方又は任意の方向に水があふれ出て多層構造によって濾過される。これにより溢れた水であっても清潔に保つことができ、水槽内の水を清潔に長時間保つことが可能となる。
【００１９】
また、別の実施形態の水生生物飼育フィルタの改良構造は、水槽と、水槽の上方に配置された支持フレームと、支持フレームの支持台上に配置され、植物を栽培するために使用される植栽ユニットとをさらに含み、当該支持フレームの最上の支持台の上方にフィルタが設けられていても良く、当該フィルタは、前段落で説明したような水生生物飼育フィルタであってもよい。
【００２０】
さらに、上記の支持フレームには、水槽に接続されたフレーム体と、フレーム体に固定接続される少なくとも一つの支持台と、前記支持台の下方に配置され、支持台上の水を下方に案内する導水孔と、植栽ユニットの内部に流入した水が導水孔に流入するのを促進するために植栽ユニットの下方に排水孔隙とを設けることができる。
【考案の効果】
【００２１】
支持台は、その内部にフィルタを配置することで、フィルタが水道管から外れにくい一にフィルタ４４を配置することができ、フィルタケースの下方に案内して排出する導水孔を設けることができる。
【００２２】
フィルタによって濾過された水は、フィルタケースの排出孔から流出し、支持台の導水孔に向かって流れて、当該導水孔を通って下方に導かれて、濾過された水が植栽ユニットに供給されるように下方の植栽ユニットに流入する。植栽ユニットの植物は、水中で溶解した魚排泄物の栄養分を吸収することができ、これにより植物の育成を促進することができる。また、導水孔を通じて次の植栽ユニットに流入し、最下層の支持台上の植栽ユニットに到達すると、最下層の植栽ユニットの排水孔から最下層の植栽ユニットの導水孔に向かって水が流れ込んで、導水孔から水槽に水が戻る。水が植物の周辺を流れるときに植物が栄養分の一部を水に放出するので、水槽に流入する水は非常に澄んでいるだけでなく栄養分も含んでいる。これにより水生生物は、より良い水質でかつ栄養分を摂取することができ、その健康及び寿命を改善することができ、水生生物及び植物の両方の育成を最大限に促進することができ、これにより良好な魚と良好な野菜を同時に育成する効果を得ることができる。
【００２３】
しかも、植物自体が栄養分を放出することで屋内空間の空気を改善することができるし、飼い主にとっては水生生物との生活を楽しむことができると同時に家庭菜園を楽しむことも可能となる。
【図面の簡単な説明】
【００２４】
【図１】本考案の実施形態１の概略断面図である。
【図２】本考案の実施形態１の動作を示す模式図である。
【図３】本考案の実施形態１の斜視図である。
【図４】本考案の実施形態２を示す斜視図である。
【図５】本考案の実施形態２の動作を示す模式図である。
【考案を実施するための形態】
【００２５】
本考案の目的、機能、特徴及び構造をより詳細に理解されるべく、図面と併せて好ましい実施形態を説明する。
【００２６】
図１は本考案の実施形態１の概略断面図であり、図２は本考案の実施形態１の概略図であり、図３は本考案の実施形態１の斜視図である。
【００２７】
本考案の実施形態１の水生生物飼育フィルタ１の改良構造は、当該水生生物飼育フィルタ１の最外層に配置された濾過布１１と、当該濾過布１１に被覆された活性炭濾過シート１２と、活性炭濾過シート１２の内層を覆う濾過メッシュ１３とを含む。
【００２８】
そして、上記濾過布１１は、任意の形状の袋状とすることができ、微小な異物（例えば排泄物や食べられなかった餌等）を濾過するために、小さな細孔が形成された高密度の不織布で構成されている。
【００２９】
活性炭濾過シート１２は、少なくとも１種の活性炭材料で構成されており、脱臭処理が可能であり、細菌の分解によって発生する悪臭を除去することができることに加えて、不純物をさらに濾過することができる。
【００３０】
濾過メッシュ１３は、少なくとも１層の樹脂綿で構成されていてもよい。濾過メッシュ１３は、より大きな異物を濾過することができるように濾過布１１よりも大きな孔径の細孔を有していて低密度である。
【００３１】
濾過メッシュ１３の内層は、中空の濾過空間１３１と、当該濾過空間１３１及び水生生物濾過フィルタ１の一端に接続するための吸水口１３２とを含み、吸水口１３２が水道管２に接続されて水道管２から吸水口１３２に水が導入され、濾過空間１３１で濾過が開始される。
【００３２】
また、濾過空間１３１に異物が充填されると、濾過空間１３１内の水があふれ出ることはなく、水生生物飼育フィルタ１の多層袋の設計により濾過空間１３１における濾過布１１の上方又は任意の方向に水があふれ出て複数の層で濾過される。これにより溢れた水であっても清潔に保つことができるので、水槽内の水を長時間清潔に保つことが可能となる。
【００３３】
水生生物飼育フィルタ１は、袋の形状になっているという特徴を有するので、従来のように、最初に魚を取り出して水槽を掃除する等の煩雑な工程を経ることなく、水生生物飼育フィルタ１が水道管２に直接接続されている限り、水生生物飼育フィルタ１を簡便に交換することができ、水槽を簡単に清掃及び交換することができる。
【００３４】
さらに、活性炭濾過シート１２は、一般的な活性炭材料からなる濾過シートで構成されているので、活性炭濾過シート１２と濾過布１１とを縫い合わせるか、又は濾過布１１と活性炭濾過シート１２と濾過メッシュ１３とを一体に縫い合わせるだけで簡便に製造することができ、製造コストを低減することができる。
【００３５】
図１及び図３を参照して、水生生物飼育フィルタ１を簡便に設置し、確実に密閉するために、吸水口１３２の外側に水道管２に対する吸水口１３２の固定接続を容易にするための弾性の結束バンド１４を追加することが好ましい。水生生物飼育フィルタ１は、使い捨ての設計になっているので、人が最外側の濾過布１１（不織布）の閉塞状況を見て、水生生物飼育フィルタ１を交換するタイミングを判断することができる。これにより水生生物飼育フィルタ１の撤去及び交換の際には、水槽内の魚を取り除くという煩わしい工程を経る必要がなく、弾性の結束バンド１４を単に緩めるだけで水生生物飼育フィルタ１を簡便に交換することが可能となる。
【００３６】
なお、本実施形態においては、濾過布１１、活性炭濾過シート１２及び濾過メッシュ１３は単層のものを示しているが、濾過布１１、活性炭濾過シート１２及び濾過メッシュ１３は必要に応じて２層以上のものを用いてもよい。このような構成を組み合わせることにより、水道管２からの水が水生生物飼育フィルタ１の吸水口１３２に導入され、吸水口１３２に流入すると、まず、孔径が大きく低密度の濾過メッシュ１３（樹脂綿）を通過して大きな異物（例えば魚の餌や排泄物等の比較的大きな異物）が濾過されて、濾過メッシュ１３を通過した水は活性炭濾過シート１２に流入し、活性炭濾過シート１２において水中の悪臭を取り除くとともに異物を濾過する。最後に、濾過布１１に水が入ると細孔が小さい高密度の不織布を通過し、図２に示すような水の流れ方向で、多くの毒素を除去して非常に澄んだ水を生成する。最外側の濾過布１１では、大きな不純物が蓄積されにくいので、閉塞しにくくすることができ、水生生物飼育フィルタ１の使用寿命を延ばすことができる。
【００３７】
図４及び図５において、図４は本考案の好ましい実施形態２の斜視図であり、図５は本考案の好ましい実施形態２の概略図である。
【００３８】
本考案の実施形態２の水生生物飼育フィルタの改良構造４は、水槽４１と、支持フレーム４２と、植栽ユニット４３と、フィルタ４４とを備えている。
【００３９】
水槽４１は、水生生物を飼育するためのタンクである。
支持フレーム４２は、当該水槽４１の上方に設けられるとともに、水槽４１に接続されるフレーム体４２１と、フレーム体４２１に固定接続される少なくとも一層の支持台４２２とを備えている。支持台４２２の下方には、支持台４２２上の水を下方に案内して排出する導水孔４２２１が設けられ、最下段の支持台４２２に設けられた導水孔４２２１は、水槽４１内に水を排出するように設置されている。なお、支持台４２２とフレーム体４２１とは引出方式で接続されていてもよい。
【００４０】
植栽ユニット４３は、支持台４２２の上方に設けられるとともに、複数の植物５を栽培可能なトレイであり、植栽ユニット４３内に流入して植物５に吸収された水は、支持台４２２の導水孔４２２１に向かって流動し（図５）、水の流入を促進するようにしている。植物５自体が栄養分を放出するので、養殖空間自体の空気の品質を向上することができ、飼い主は水生生物を育成することができるとともに植物５を植えて家庭菜園を楽しむことができる。
【００４１】
フィルタ４４は、実施形態１の水生生物飼育フィルタ１と同様のものであり、最上の支持台４２２の上方に設けられるとともに、フィルタ４４の最外層に設けられる濾過布１１と、濾過布１１内を覆う活性炭濾過シート１２と、活性炭濾過シート１２の内層を覆う濾過メッシュ１３とを備えている。濾過メッシュ１３の内側には中空状の濾過空間１３１が設けられており、当該濾過空間１３１及び濾過フィルタ１の一端に接続するための吸水口１３２が設けられ、この吸水口１３２が水道管２に接続されて水道管２から吸水口１３２に水が導入され、濾過空間１３１に流れ込んで濾過が開始される。水道管２からフィルタ４４までの濾過作用は実施形態１と同様であるためこれらの説明は省略する。
【００４２】
フィルタケース４５は、支持台４２２上に設けられ、その内側の水道管２から外れにくい位置にフィルタ４４を配置することができ、フィルタケース４５の下方に案内して排出する導水孔４５１を設けることができる。
【００４３】
本実施形態においては、２つの支持台４２２が設けられた場合を一例として説明しており、動作原理は以下の通りである。なお、水道管２からフィルタ４４に流入する水の濾過作用及び効果は、実施形態１と同様であるため再度の説明を省略する。水がフィルタ４４によって濾過されると、図５の矢印に示すように水が流れてフィルタケース４５の排出孔４５１から流出し、支持台４２２の導水孔４２２１に向かって流れて、当該導水孔４２２１を通って下方に導かれて、濾過された水が植栽ユニット４３に供給されるように下方の植栽ユニット４３に流れる。植栽ユニット４３の植物５は、水中で溶解した魚排泄物の栄養分を吸収することができ、これにより植物５の育成を促進することができる。そして、導水孔４２２１を通じて次の植栽ユニット４３に流入し、最下層の支持台４２２上の植栽ユニット４３に到達すると、最下層の植栽ユニット４３の排水孔４３１から最下層の植栽ユニット４３の導水孔４２２１に向かって水が流れ込んで、導水孔４２２１から水槽４１に水が戻る。水が植物５の周辺を流れるときに植物５が栄養分の一部を水に放出するので、水槽４１に流入する水は非常に澄んでいるだけでなく栄養分も含むものとなる。これにより水生生物はより良い水質でかつ栄養分を摂取することができ、その健康及び寿命を改善することができ、水産養殖及び植物５の育成の両方を最大限に有効活用することができ、これにより良好な魚の育成と良好な野菜を同時に育成する効果を得ることができる。
【００４４】
以上を纏めると、本考案に記載された水生生物飼育フィルタの改良構造は、同一の技術分野における従来の技術では得られない以下のメリットを享受することができる。
【００４５】
１．多層濾過による水質の向上：濾過布、活性炭濾過シート及び濾過メッシュを通じて異物の大きさに応じた濾過をすることができるとともに脱臭効果があるので、水質をより向上することができる。
【００４６】
２．水生生物飼育フィルタの長寿命化：多層濾過の設計により、異物の大きさに応じて異物を段階的に除去することができるので、不織布で構成された濾過布に大型の異物が蓄積することを防ぐことができる。これにより水生生物飼育フィルタを長寿命化することができ、水生生物飼育フィルタの交換回数を減らすことができる。
【００４７】
３．生産コストの削減：濾過布、濾過メッシュ、及び活性炭濾過シートを縫い付けて単一の部品で多層の袋状を作製するだけなので、生産コストを削減することができ、煩わしい製造工程を省略することができる。
【００４８】
４．解体が簡単：水生生物飼育フィルタが袋状の設計とされているので、水生生物飼育フィルタが使用寿命に達したときに水槽の魚を移し替える等の作業をすることなく、結束バンドを外すだけで水生生物飼育フィルタを簡単に取り外すことができる。これにより他の複雑な工程を経ることなく、簡便に水生生物飼育フィルタを交換することができる。
【００４９】
５．自己栽培と快適な生活：水生生物を飼育することができることに加えて、植物を植えることの楽しみを味わうことができ、多様な目的を達成した充実な生活を送ることができる。
【００５０】
６．魚と野菜の共生：水生生物を飼育しながら植物を植えることができ、相互に資源を共有して両者を成長させることができる。
【００５１】
７．屋内空気の改善：植物を受けることによって植物は栄養分を放出するので、室内の空気を良好に保つことができる。
【００５２】
８：水生生物の活性化：多層濾過した後の水が透明であり、植物を通じて放出された栄養分が水槽に流入するため、水槽内の育成環境を改善することができ、水生生物を健康的で活発に成長させることができる。
【００５３】
本考案に関する国内外の技術情報文献を確認したところ、本考案がなされる前に同一又は類似の構造が存在しないという事実が判明した。このため、本考案及び本考案の類似製品の進歩性及び実用性が認められる。したがって、本考案は、「創造性」、「産業上の利用可能性」および「進歩性」という実用新案法上の登録要件を満たす。
【００５４】
本考案の上述の好ましい実施形態は、本考案の範囲に含まれることを意図すると理解されるべきである。
【符号の説明】
【００５５】
１    好ましい実施形態１の水生生物飼育フィルタ
１１    濾過布
１２    活性炭濾過シート
１３    濾過メッシュ
１３１    濾過空間
１３２    吸水口
１４    結束バンド
２    水道管
４    好ましい実施形態２の水生生物飼育フィルタ
４１    水槽
４２    支持フレーム
４２１    フレーム体
４２２    支持台
４２２１    導水孔
４３    植栽ユニット
４３１    排水孔隙
４４    フィルタ
４５    フィルタケース
４５１    排水孔
５    植物
【図１】
0003218217.tif 000003
【図２】
0003218217.tif 000004
【図３】
0003218217.tif 000005
【図４】
0003218217.tif 000006
【図５】
0003218217.tif 000007